(57)【要約】【課題】  スピーカボックスの見栄えを簡便に変えることが可能であって、しかも、そのための部材の用意及び保管する場所に問題の生じないことを目的とする。【解決手段】  化粧板体３の表面と８と裏面９を外観上互いに異なる化粧面に構成した。化粧板体３の左右端部にヒンジ部１０及び１１を備え、それぞれに通孔１２，１３及び１４，１５を設け、且つ、ボックス本体２の前部に突起部１６，１７（一部図示省略）を設けて、表面８と裏面９の所望する方をフロンと面として化粧板体３をボックス本体２に装着するように構成した。【選択図】  図１
2008124968.tif 000002
【特許請求の範囲】
【請求項１】
前部にスピーカを保持し得るボックス本体と、そのボックス本体にスピーカを所定の状態で保持させた際に、前記ボックス体に着脱可能に装着してそのスピーカを覆う装飾用の化粧板体が備えられ、
上記化粧板体は、表面及び裏面が互いに異なる化粧面に仕上げられ、それら表面と裏面のいずれか一方を任意に選択して上記ボックス体の前部に装着されるように構成されてなるスピーカボックス。
【請求項２】
上記化粧板体の上記ボックス本体への装着が、前記化粧板体に突起部又は凹部若しくは通孔のいずれか一方が備えられ、且つ、前記ボックス体に突起部又は凹部若しくは通孔の他方が備えられ、それら突起部に凹部が嵌合することによって行われる構成であるスピーカボックス。
【発明の詳細な説明】
【技術分野】
【０００１】
この発明は、音声を出力するスピーカを前部の所定の状態に保持するスピーカボックスに関し、特に、ボックス本体の前部に装着してスピーカ本体を覆う化粧板体の見栄えに関する。
【背景技術】
【０００２】
スピーカボックスは、アンプの側から供給される電気信号に基づいて音声を出力するスピーカをボックス本体の前部に所定の状態で保持し、且つ、スピーカの保護、見栄えの確保等の理由から、スピーカ本体を覆う化粧板体がボックス本体の前部に装着されている。
そして、スピーカボックスはインテリアとしての価値を有していることから、設置する部屋の雰囲気に対応して視覚的に調和すること、或いは、スピーカから出力される音声の種類に調和することが時には強く望まれる。つまり、スピーカが視覚的に幾つかの異なる感じを与えることが求められる場合がある。
【０００３】
このスピーカボックスが視覚的に異なる感じを与えることについては、フロント部分に位置する化粧板体を交換することが比較的簡便に行うことが可能であり、且つ、フロント部分の化粧板体はユーザーの最も視線の行く部分に装着されていることから極めて効果的である。
そこで、スピーカボックスではないが、フロント面において見栄えを得るための装飾部材の装着についての発明として、以下に示す文献が知られている。
【０００４】
【特許文献１】特開２００４−２４７１８号公報
【発明の開示】
【発明が解決しようとする課題】
【０００５】
特開２００４−２４７１８号公報で開示されている発明は、構成体１の前面側に取付凹部２を形成し、その取付凹部２に装飾部材３をはめ込み、裏面側からビス止めする構成となっている。
斯かる構成の発明では、装飾部材３を交換することによって、適宜見栄えを変化させることが可能である。そして、この構成は、スピーカボックスについても適応することは可能である。
【０００６】
しかしながら、斯かる構成では、装飾部材（化粧板体）を交換する際には、その都度装飾部材（化粧板体）を用意する必要がある。従って、交換したい対象の装飾部材（化粧板体）が紛失しないように保管しておく必要があるという問題が生じる。
又、多くの装飾部材（化粧板体）を用意すると、その分、多くの保管場所が必要になるという問題も生じる。
【０００７】
この発明は、上記の事情に鑑みて為されたものであり、見栄えの変化を求めることに対してスピーカボックスのフロント面を覆う化粧板体を簡便に交換することが可能であり、しかも、化粧板体の保管に場所を必要としないスピーカボックスを提供するものである。
【課題を解決するための手段】
【０００８】
この発明は、スピーカを覆う化粧板体の表面及び裏面を互いに異なる化粧面に構成してなるスピーカボックスである。
その詳細な構成は、前部にスピーカを保持し得るボックス本体と、そのボックス本体にスピーカを所定の状態で保持させた際に、前記ボックス体に着脱可能に装着してそのスピーカを覆う装飾用の化粧板体が備えられ、
上記化粧板体は、表面及び裏面が互いに異なる化粧面に仕上げられ、それら表面と裏面のいずれか一方を任意に選択して上記ボックス体の前部に装着されるように構成されてなるスピーカボックスである。
【０００９】
尚、ボックス本体に化粧板体を装着する構成として、化粧板体に突起部又は凹部のいずれか一方が備えられ、且つ、ボックス体に突起部又は凹部の他方が備えられ、それら突起部に凹部が嵌合することによって行わうものが挙げられる。
より具体的には、ボックス体の前部の側部に突起部又は凹部のいずれか一方を備え、化粧板体の両端部にヒンジ部を設け、そのヒンジ部に突起部又は凹部の他方を備えた構成が挙げられる。
【００１０】
又、見栄えに加えて、スピーカボックスに保持されるスピーカから出力される音質に変化を与えるということから、化粧板体に、ボックス本体への装着の向きによって、低音を抑えること又は／及び高音を抑えることが切り換えが可能なフィルタを内蔵させる構成が挙げられる。
【発明の効果】
【００１１】
この発明は、ボックス本体の前部に装着されてスピーカを覆う化粧板体の表面と裏面を共に化粧面に構成し、且つ、その化粧板体の表面と表面のいずれか所望する面をフロント面として、その化粧板体をボックス本体に装着可能としたことにより、ユーザーは簡便に所望する化粧面をフロント面とする複数の異なる見栄えを得ることが可能で、しかも、フロント面に他の化粧面を用意すること及び保管を簡便に行うことが可能なスピーカボックスである。
【発明を実施するための最良の形態】
【００１２】
この発明を、以下において、図面と共に実施するための最良の形態に基づき詳述する。しかし、この形態によって、この発明が限定されるものではない。
スピーカボックス１は、ボックス本体２と化粧板体３が備えられている。
ボックス本体２の前部には、スピーカ４，５，６が保持部材７によって所定の位置、所定の姿勢で保持されている。
【００１３】
化粧板体３は、表面８及び裏面９は共に化粧面に仕上げられている。
表面８は、メタルグリル調の化粧面であり、裏面９は、縦方向に伸びる模様の入ったジャージ材の化粧面である。
化粧板体３の両端部は、折曲可能なヒンジ部１０，１１が備えられている。ヒンジ部１０及び１１にはそれぞれ、通孔１２，１３及び通孔１４，１５が開設されている。
【００１４】
他方、図１において、ボックス本体２の前部側部に、通孔１２，１３にそれぞれ挿通する突起部１６，１７が備えられている。又、ボックス本体２の前部であって、突起部１６，１７と対称の位置に、ヒンジ部１１の通孔１４，１５がそれぞれ挿通する突起部（図示省略）が備えられている。
化粧板体３の表面８と裏面９の間には、切り換えによってスピーカ４，５，６からの出力音声のうち低音を抑えること及び高音を抑えることが可能なフィルタ（図示省略）が介在されている。
尚、１８は、上記フィルタの低音を抑える場合と高音を抑える場合を切り換えるためのレバーである。
【００１５】
スピーカボックス１は、上述したように構成されている。以下において、その使用を説明する。ユーザーは、ジャズやロック等の軽音楽を聴く際には、図１に示すように、化粧板体３をその表面８がフロント面となるようにして、ボックス本体２の前方に位置させる。
続いて、ヒンジ部１０を後方向に折曲し、通孔１２に突起部１６を、通孔１３に突起部１７をそれぞれ挿通させる。
【００１６】
同様に、ヒンジ部１１を後方向に折曲し、通孔１４，１５にそれぞれ前記突起部を挿通させる。
ここで、ボックス本体２に化粧板体３が装着され、スピーカボックス１は、横方向に伸びる比較的目の細かいメタルグリル調であって幾分軽快な感じを与える化粧板体３の表面８がフロント面に配設された状態が得られている。
続いて、レバー１８を操作し、スピーカ４，５，６からの音声が低音を抑えて出力するように上記フィルタを設定する。
【００１７】
ユーザーは、この状態で、アンプ（図示省略）を出力させて、ポップス系音楽の音声をスピーカ４，５，６から出力させると、化粧板体３に内蔵の前記フィルタはスピーカ４，５，６からの出力音声のうち低音を幾分カットして化粧板体３の前方に出力する。
ここで、ユーザーは、視覚的に、幾分軽快な感じを与えるスピーカボックス１のフロント面と、聴覚的に、低音が幾分カットされて全体として軽快なポップス系音楽の音声を楽しむことができる。
【００１８】
他方、ユーザーが、クラシック音楽を場合には、図２に示すように、化粧板体３をその裏面９がフロント面となるようにして、ボックス本体２の前方に位置させる。
続いて、ヒンジ部１１を後方向に折曲し、通孔１４に突起部１６を、通孔１５に突起部１７をそれぞれ挿通させる。
【００１９】
同様に、ヒンジ部１０を後方向に折曲し、通孔１２，１３にそれぞれ前記突起部を挿通させる。
ここで、ボックス本体２に化粧板体３が装着され、スピーカボックス１は、比較的目の粗い縦方向に伸びる模様の入ったジャージ地であって幾分重厚な感じを与える化粧板体３の裏面９がフロント面に配設された状態が得られている。
【００２０】
ユーザーは、更に、レバー１８を操作してスピーカ４，５，６からの音声が高音を抑えて出力するように上記フィルタを設定する。
続いて、上記アンプを出力させて、クラシック音楽の音声をスピーカ４，５，６から出力させると、化粧板体３に内蔵の前記フィルタはスピーカ４，５，６からの出力音声のうち高音を幾分カットして、化粧板体３の前方に出力する。
【００２１】
ここで、ユーザーは、視覚的に、幾分重厚な感じを与えるスピーカボックス１のフロント面と、聴覚的に、高音が幾分カットされて全体として落ち着いた感じのクラシック音楽の音声を楽しむことができる。
スピーカボックス１は、上述したように、化粧板体３の表面８と裏面９を互いに異なる化粧面に仕上げられ、且つ、所望により簡便に表面８と裏面９のいずれかをフロント面にして選択してボックス本体２に装着することが可能であることより、フロント面は勿論スピーカボックス１そのものから受ける見栄えに変化を得ることが可能である。
【００２２】
又、化粧板体３は表面８と裏面９の二つの化粧面を備えていることから、一つの化粧面を備えた化粧板体に比してその化粧板体の保管に場所を半分で済ませることが可能になっている。
尚、スピーカボックス１は、唯一つの化粧板体３を備えた構成になっているが、表面と裏面にそれぞれ化粧面が備えられ、各化粧面が模様、テクスチャー、色彩等で互いに異なる複数枚の化粧板体を備え、ユーザーの所望によりフロント面用に選択して使用する構成であってもよい。
【００２３】
化粧板体３に内蔵の上記フィルタは、レバー１８の切り換え操作を行うことによって、高音のカットと低音のカットが行われる構成であるが、ボックス体２への装着の際に押圧力によって切り換えが行われる構成であってもよい。
又、化粧板体３に内蔵の上記フィルタは、レバー１８の操作によって高音のカットと低音のカットの切り換えが行われるが、高音のみカットと低音のみのカットであってもよい。
【００２４】
スピーカボックス１は、化粧板体３のボックス体２への係止が化粧板体３の通孔１２，１３，１４，１５とボックス体２の突起部１６，１７（一部図示省略）によって行われているが、凹部と突起部との組み合わせでもよい。
更に、スピーカボックス１は、化粧板体３に突起部を備え、且つ、ボックス体２に通孔若しくは凹部を備えることで、ボックス体２に化粧板体３を装着する構成であってもよい。
【図面の簡単な説明】
【００２５】
【図１】この発明を実施するための最良の形態を説明するものであって、化粧板体の表面をフロント面とした際の一部分解斜視図である。
【図２】図１に示す実施するための最良の形態において、化粧板体の裏面をフロント面とした際の斜視図である。ビスを鬼目ナットに螺合してスピーカをマウント部材に取付固定した状態を示す断面図である。
【符号の説明】
【００２６】
１                      ：スピーカボックス
２                      ：ボックス本体
３                      ：化粧板体
４，５，６              ：スピーカ
７                      ：保持部材
８                      ：化粧板体の表面
９                      ：化粧板体の裏面
１０，１１              ：ヒンジ部
１２，１３，１４，１５  ：通孔
１６，１７              ：突起部
１８                    ：レバー
【図１】
2008124968.tif 000003
【図２】
2008124968.tif 000004